(57)【要約】【課題】一対の遠心送風羽根とケーシングとで排気流と循環流を適切に分配させることができることを目的とする。【解決手段】ケーシングには循環ケーシング１６と排気ケーシング１７へ分割する仕切板１８を設け、仕切板１８によって分割された排気ケーシング１７の壁面には排気口１９と、循環ケーシング１６の壁面には循環口２０とを設け、化粧パネルに循環口２０と連通し化粧パネルの表面に対してほぼ水平方向に吐出されるパネル用吐出口を設け、一つの吸込口から吸込まれた風が各々の風路で昇圧させて分配するので、一対の遠心送風羽根とケーシングとで排気流と循環流を適切に分配させることができる換気装置を得られる。【選択図】図３
2015187530.tif 000002
【特許請求の範囲】
【請求項１】
天井に取り付けられ下面に室内側へ臨む開口を有する箱状のフレームと、前記フレーム内に配設され下面に吸込口を有したスクロール状のケーシングと、前記ケーシング内に配設される遠心送風羽根と、前記遠心送風羽根を回転駆動する電動機と、前記室内側に臨む開口を覆う化粧パネルを有し、前記化粧パネルに前記吸込口に連通するように開口を有したパネル用吸込口を有し、前記ケーシングの前記吸込口と前記パネル用吸込口を連通する接続ダクトと、前記接続ダクトの外周面と前記フレームの内周壁面とスクロール状の前記ケーシングとの間でチャンバー部を形成し、前記ケーシングには循環ケーシングと排気ケーシングへ分割する仕切板を設け、前記仕切板によって分割された前記排気ケーシングの壁面には排気口と、前記循環ケーシングの壁面には循環口とを設け、前記化粧パネルに前記循環口と連通し前記化粧パネルの表面に対してほぼ水平方向に吐出されるパネル用吐出口を設けたことを特徴とする換気装置。
【請求項２】
循環ケーシングと排気ケーシングの舌部の位置が異なることを特徴とする請求項１に記載の換気装置。
【請求項３】
遠心送風羽根の吸込口を片側吸込みとし、分割されたケーシングの遠心送風羽根の吸込側を排気ケーシングとした請求項１または２に記載の換気装置。
【請求項４】
排気ケーシングの壁面に循環開口を有し、前記循環開口と排気口の開口を可変するダンパーを有したことを特徴とする請求項１〜３のいずれかに記載の換気装置。
【請求項５】
循環口と室内側を連通させる循環経路内に静電霧化装置を備えたことを特徴とする請求項１または４に記載の換気装置。
【発明の詳細な説明】
【技術分野】
【０００１】
本発明は、天井に設けた開口に埋め込まれ、天井裏に配管され屋外と連通するダクトに接続され、室内の換気を行う換気装置に関する。
【背景技術】
【０００２】
従来、この種の換気装置としては、換気を対象とする室内とは別の空間から空気を室内側に給気すると同時に、換気対象の室内の空気を排気することでより一層換気、乾燥の効率を高めた換気装置が知られている（例えば、特許文献１参照）。
【０００３】
以下、この種の換気装置について、図５を参照しながら説明する。
【０００４】
図５に示すように、換気装置本体１０１は、建物内の屋根裏空間または天井裏空間に設置され、同時に給気形換気装置１０２が同様の空間に設置される。この換気本体１０１は本体フレーム１０３の側面に給気吸込み口１０４と他の側面に排気口１０５を有し、この換気装置本体１０１の室内側の面を覆うように、下面に室内吸込み部１１１と周辺部に室内吐出部１１２を有した化粧グリル１０６が配設される。また換気装置本体１０１の内部には電動機１０７が固定されており、電動機１０７には遠心送風羽根１０８が固定され、遠心送風羽根１０８はケーシング１０９にて形成された給気室内に配設され、その下方にはオリフィス１１０を設けられ、また本体フレーム１０３とケーシング１０９との間に給気風路１１３を有している。
【０００５】
本構造で室内の空気は遠心送風羽根１０８により室内吸込み部１１１を通過しオリフィス１１０から室内空気を吸込み、前記排気口１０５から室外に排気される。一方で、給気形換気装置１０２から吐出された給気は、給気吸込口１０４から導入され、換気装置本体１０１内部の給気風路１１３を通過し、化粧グリル１０６の室内吐出部１１２から室内に給気される構成となっている。
【先行技術文献】
【特許文献】
【０００６】
【特許文献１】特開平７−１４５９７３号公報
【発明の概要】
【発明が解決しようとする課題】
【０００７】
このような従来の換気装置においては、室内の排気のみを行う換気装置に対して同時に別の空間から空気を室内側に給気を行うことにより、換気対象とする空間に空気が行き渡りやすくなるため、換気の有効性としては優れてはいたが、しかし、循環流は別の空間から給気を強制的に行うことにより、一対の遠心送風羽根とケーシングとで排気流と循環流を適切に分配することが難しい、という課題を有していた。
【０００８】
そこで本発明は、上記従来の課題を解決するものであり、一対の遠心送風羽根とケーシングとで排気流と循環流を適切に分配させることができる換気装置を提供することを目的とする。
【課題を解決するための手段】
【０００９】
そして、この目的を達成するために、本発明は、天井に取り付けられ下面に室内側へ臨む開口を有する箱状のフレームと、前記フレーム内に配設され下面に吸込口を有したスクロール状のケーシングと、前記ケーシング内に配設される遠心送風羽根と、前記遠心送風羽根を回転駆動する電動機と、前記室内側に臨む開口を覆う化粧パネルを有し、前記化粧パネルに前記吸込口に連通するように開口を有したパネル用吸込口を有し、前記ケーシングの前記吸込口と前記パネル用吸込口を連通する接続ダクトと、前記接続ダクトの外周面と前記フレームの内周壁面とスクロール状の前記ケーシングとの間でチャンバー部を形成し、前記ケーシングには循環ケーシングと排気ケーシングへ分割する仕切板を設け、前記仕切板によって分割された前記排気ケーシングの壁面には排気口と、前記循環ケーシングの壁面には循環口とを設け、前記化粧パネルに前記循環口と連通し前記化粧パネルの表面に対してほぼ水平方向に吐出されるパネル用吐出口を設けたこととしたものであり、これにより所期の目的を達成するものである。
【発明の効果】
【００１０】
本発明によれば、天井に取り付けられ下面に室内側へ臨む開口を有する箱状のフレームと、前記フレーム内に配設され下面に吸込口を有したスクロール状のケーシングと、前記ケーシング内に配設される遠心送風羽根と、前記遠心送風羽根を回転駆動する電動機と、前記室内側に臨む開口を覆う化粧パネルを有し、前記化粧パネルに前記吸込口に連通するように開口を有したパネル用吸込口を有し、前記ケーシングの前記吸込口と前記パネル用吸込口を連通する接続ダクトと、前記接続ダクトの外周面と前記フレームの内周壁面とスクロール状の前記ケーシングとの間でチャンバー部を形成し、前記ケーシングには循環ケーシングと排気ケーシングへ分割する仕切板を設け、前記仕切板によって分割された前記排気ケーシングの壁面には排気口と、前記循環ケーシングの壁面には循環口とを設け、前記化粧パネルに前記循環口と連通し前記化粧パネルの表面に対してほぼ水平方向に吐出されるパネル用吐出口を設けた、という構成にしたことにより、吸込口から遠心送風羽根に吸込まれた風が、排気ケーシングにより昇圧され排気口から排出する排気流と循環ケーシングにより昇圧され循環口から排出しチャンバー部を介してパネル用吐出口から室内側へ循環する循環流に各々分配され、一つの吸込口から吸込まれた風が各々の風路で昇圧させて分配することとなるので、一対の遠心送風羽根とケーシングとで排気流と循環流を適切に分配させることができる、という効果を得ることができる。
【図面の簡単な説明】
【００１１】
【図１】本発明の実施の形態１の換気装置を示す側面構成図
【図２】同換気装置の化粧パネルを示す上方斜視図
【図３】同換気装置のケーシングを示す下方斜視図
【図４】同換気装置の内部を示す上方斜視図
【図５】従来の換気装置を示す側面断面図
【発明を実施するための形態】
【００１２】
本発明の請求項１記載の換気装置は、天井に取り付けられ下面に室内側へ臨む開口を有する箱状のフレームと、前記フレーム内に配設され下面に吸込口を有したスクロール状のケーシングと、前記ケーシング内に配設される遠心送風羽根と、前記遠心送風羽根を回転駆動する電動機と、前記室内側に臨む開口を覆う化粧パネルを有し、前記化粧パネルに前記吸込口に連通するように開口を有したパネル用吸込口を有し、前記ケーシングの前記吸込口と前記パネル用吸込口を連通する接続ダクトと、前記接続ダクトの外周面と前記フレームの内周壁面とスクロール状の前記ケーシングおよびの間でチャンバー部を形成し、前記ケーシングには循環ケーシングと排気ケーシングへ分割する仕切板を設け、前記仕切板によって分割された前記排気ケーシングの壁面には排気口と、前記循環ケーシングの壁面には循環口とを設け、前記化粧パネルに前記循環口と連通し前記化粧パネルの表面に対してほぼ水平方向に吐出されるパネル用吐出口を設けた、という構成を有する。これにより、吸込口から遠心送風羽根に吸込まれた風が、排気ケーシングにより昇圧され排気口から排出する排気流と循環ケーシングにより昇圧され循環口から排出しチャンバー部を介してパネル用吐出口から室内側へ循環する循環流に各々分配され、一つの吸込口から吸込まれた風が各々の風路で昇圧させて分配することとなるので、一対の遠心送風羽根とケーシングとで排気流と循環流を適切に分配させることができる、という効果を奏する。
【００１３】
また、前記循環ケーシングと排気ケーシングは、排気口と循環口に対しそれぞれ最適な位置に舌部を配置することより、排気ケーシングと循環ケーシングの効率を良化させ、風量静圧特性を向上させることができる、という効果を奏する。
【００１４】
また、遠心送風羽根の吸込口を片側吸込みとし、前記分割されたケーシングの遠心送風羽根の吸込側を排気ケーシングとした構造により、前記分割されたケーシングにおいて、圧力特性が良いケーシングを排気ケーシングとし、風量特性が良い循環ケーシングとすることにより、排気流と循環流を適切に分配させることができる、という効果を奏する。
【００１５】
また、排気口の開口を可変するダンパーを有したことにより、可変ダンパーによって排気口を遮蔽することにより、循環流を増加させることができる。
【００１６】
また、循環口と室内側を連通させる循環経路内に静電霧化装置を備えたことにより、静電霧化装置から発生する帯電微粒子水が湿度の高い空間や空気の行き渡りにくい場所での臭気やカビと接触して分解することとなるので、湿度の高い空間や空気の行き渡りにくい場所での臭気やカビの発生を抑制することができる、という効果を奏する。
【００１７】
以下、本発明の実施の形態について図面を参照しながら説明する。
【００１８】
（実施の形態１）
図１〜４に示すように、天井１に取り付けられ下面に室内２側へ臨む方形状の開口３を有する箱状のフレーム４と、フレーム４内に配設され下面に吸込口５を有したスクロール状のケーシング６と、ケーシング６内に配設される遠心送風羽根７である静圧をかせげるシロッコファンやターボファンと、遠心送風羽根７を回転駆動する電動機８（ＡＣやＤＣどちらでもよい）と、室内２側に臨む開口３を覆う化粧パネル９を天井１に一般的に用いられている二又状のばねによって取り付けれ、化粧パネル９に吸込口５に連通するように開口を有したパネル用吸込口１０を有し、ケーシング６の吸込口５とパネル用吸込口１０を連通するリブ１１によって囲まれた接続ダクト１２と、接続ダクト１２の外周面１３とフレーム４の内周壁面１４とスクロール状の前記ケーシング６との間でチャンバー部１５を形成し、ケーシング６には循環ケーシング１６と排気ケーシング１７へ分割する仕切板１８を設け、仕切板１８によって分割された排気ケーシング１７の壁面には排気口１９と、循環ケーシング１６の壁面には複数の循環口２０（例えば等角度で４つが循環ケーシング１６の強度と循環風の流れが良い）とを設け、化粧パネル９に循環口２０と連通し化粧パネル９の表面に対してほぼ水平方向に吐出されるパネル用吐出口２１を設けたという構成を有する。
【００１９】
これにより、吸込口５から遠心送風羽根７に吸込まれた室内２の風が、排気ケーシング１７により昇圧され排気口１９から排出する排気流２２と循環ケーシング１６により昇圧され循環口２０から排出しチャンバー部１５を介してパネル用吐出口２１から室内２側へ循環する循環流に各々分配され、一つの吸込口５から吸込まれた風が各々（循環ケーシング１６側と排気ケーシング１７側）の２つの風路で昇圧させて循環流と排気流とへ分配することとなるので、一対の遠心送風羽根７とケーシング６とで排気流と循環流を適切に分配させることができる。
【００２０】
また、循環ケーシング１６と排気ケーシング１７は、循環口２０と排気口１９に対しそれぞれ最適な位置に舌部すなわち循環ケーシング舌部２３と排気ケーシング舌部２４を配置することより、循環ケーシング１６と排気ケーシング１７との排気する効率を良化させ、風量静圧特性を向上させることができる、という効果を奏する。
【００２１】
また、遠心送風羽根７の吸込口２５を片側吸込みとし、分割されたケーシング６の遠心送風羽根７の吸込側を排気ケーシング１７とした構造により、分割されたケーシング６において、圧力特性すなわち静圧特性が良いケーシング６を排気ケーシング１７とし、風量特性が良い循環ケーシング１６とすることにより、仕切板１８を適切な位置、例えばケーシング６の高さ寸法の半分にすることにより、排気流と循環流を適切に分配させることができる。
【００２２】
また、排気口１９の開口を可変するダンパーを有したことにより、可変ダンパー２６によって排気口１９を遮蔽することにより排気流が循環流となるので、循環流を増加させることができる。
【００２３】
また、循環口２０と室内２側を連通させる循環経路２７内に静電霧化装置２８を備えたことにより、静電霧化装置２８から発生する帯電微粒子水が湿度の高い空間や空気の行き渡りにくい場所での臭気やカビと接触して分解することとなるので、湿度の高い空間や空気の行き渡りにくい場所での臭気やカビの発生を抑制することができる。
【産業上の利用可能性】
【００２４】
本発明にかかる換気装置は、一対の遠心送風羽根とケーシングとで排気流と循環流を適切に分配させることができることを可能とするものであるので、浴室内の換気装置等として有用である。
【符号の説明】
【００２５】
１    天井
２    室内
３    開口
４    フレーム
５    吸込口
６    ケーシング
７    遠心送風羽根
８    電動機
９    化粧パネル
１０  パネル用吸込口
１１  リブ
１２  接続ダクト
１３  外周面
１４  内周壁面
１５  チャンバー部
１６  循環ケーシング
１７  排気ケーシング
１８  仕切板
１９  排気口
２０  循環口
２１  パネル用吐出口
２２  排気流
２３  循環ケーシング舌部
２４  排気ケーシング舌部
２５  吸込口
２６  可変ダンパー
２７  循環経路
２８  静電霧化装置
【図１】
2015187530.tif 000003
【図２】
2015187530.tif 000004
【図３】
2015187530.tif 000005
【図４】
2015187530.tif 000006
【図５】
2015187530.tif 000007